(57)【特許請求の範囲】
【請求項１】
略四角形板状体に形成されたブラシ台部と、このブラシ台部の長手方向に沿ってこのブラシ台部の第１辺部分から延びる柄部とを備え、上記第１辺部分に対向する上記ブラシ台部の第２辺部分に髪梳き用の複数のブリッスルが列状に突設され、上記ブラシ台部の第３辺部分に毛染め剤塗布用の複数のブラシ毛が列状に植設され、第４辺部分に髪梳き用の複数のブリッスルが列状に突設されていることを特徴とする毛染め用ブラシ。
【請求項２】
上記第２辺部分の各ブリッスルの突出長さが上記第４辺部分の各ブリッスルの突出長さより短く、かつ、上記第２辺部分の各ブリッスル同士の間隔が上記第４辺部分の各ブリッスル同士の間隔より狭く設定されている請求項１記載の毛染め用ブラシ。
【発明の詳細な説明】
【０００１】
【発明の属する技術分野】
本発明は、毛染め用ブラシに関するものである。
【０００２】
【従来の技術】
従来から、毛染め用ブラシとして、図８に示すように、握板部３１の一端部の相対向する側面（傾斜面）に刷毛部３２と櫛部３３とを設けたものが汎用されている。この毛染め用ブラシでは、上記刷毛部３２に、容器に入れた毛染め剤を付着させたのち、これを毛髪に塗布し、この毛髪に塗布した毛染め剤を上記櫛部３３で均一にのばして毛髪全体に行き渡らせるようにしている。
【０００３】
また、毛染め用ブラシには、各種の機能を備えたものがある。例えば、特開平１０−７１０２０号公報には、図９に示すように、刷毛部３２に隣接する握板部３１の部分にえぐり部３４を形成し、このえぐり部３４の形状を、耳の外形に適合する形状とすることにより、耳の周りを片手で簡単に毛染めすることができるようにしている。図において、３５〜３７は滑り止め用の凸部である。
【０００４】
【発明が解決しようとする課題】
しかしながら、従来の各種の毛染め用ブラシでは、櫛部３３は毛髪全体を梳くのに適した形状になっているため、もみあげ等の狭い部分や、一部分の毛髪だけを梳くのに適しておらず、毛髪の各部をきめ細かく毛染めすることができない。しかも、握板部３１の一端部の両側面間の部分が略三角形板状体に形成されているため、強度的に弱く、握板部３１の一端部が破損しやすい。特に、上記両側面間の部分の先端には、刷毛部３２に毛染め剤を付着させるときにも、櫛部３３で毛髪全体を梳くときにも、負荷が作用するため、早期に破損しやすい。さらに、刷毛部３２を設けた側面と、櫛部３３を設けた側面とが傾斜面に形成されているため、使い勝手が悪い。特に、容器に入れた毛染め剤を刷毛部３２に付着させる際に、刷毛部３２の先端面を水平に保持しなければならず、作業がしずらい。
【０００５】
本発明は、このような事情に鑑みなされたもので、毛髪の各部をきめ細かく毛染めすることができ、強度的に強く、使い勝手のよい毛染め用ブラシの提供をその目的とする。
【０００６】
【課題を解決するための手段】
上記の目的を達成するため、本発明の毛染め用ブラシは、略四角形板状体に形成されたブラシ台部と、このブラシ台部の長手方向に沿ってこのブラシ台部の第１辺部分から延びる柄部とを備え、上記第１辺部分に対向する上記ブラシ台部の第２辺部分に髪梳き用の複数のブリッスルが列状に突設され、上記ブラシ台部の第３辺部分に毛染め剤塗布用の複数のブラシ毛が列状に植設され、第４辺部分に髪梳き用の複数のブリッスルが列状に突設されているという構成をとる。
【０００７】
すなわち、本発明の毛染め用ブラシは、略四角形板状体に形成されたブラシ台部と、このブラシ台部の長手方向に沿ってこのブラシ台部の第１辺部分から延びる柄部とを備えており、上記第１辺部分に対向する上記ブラシ台部の第２辺部分に髪梳き用の複数のブリッスルが列状に突設されている。また、上記ブラシ台部の第３辺部分と第４辺部分にはそれぞれ、通常の毛染め用ブラシと同様に、毛染め剤塗布用の複数のブラシ毛と髪梳き用の複数のブリッスルとが列状に設けられている。このように、本発明の毛染め用ブラシには、ブラシ台部の第２辺部分と第４辺部分にそれぞれ複数のブリッスルが列状に突設されているため、これら両列状のブリッスルの形状（例えば、各ブリッスルの突出長さや各ブリッスル同士の間隔）を異ならせることにより、毛髪の各部をきめ細かく毛染めすることができる。しかも、ブラシ台部が略四角形板状体に形成されているため、強度的に強く、ブラシ台部が破損しにくい。特に、ブラシ台部の先端においても、その面積が大きくて強度的に丈夫であり、早期に破損することはない。さらに、ブラシ台部が略四角形板状体に形成されているため、ブラシ台部の第３辺部分および第４辺部分の少なくとも一方をブラシ台部の長手方向に沿って形成することができ、使い勝手が良い。特に、複数のブラシ毛を列状に突設する第３辺部分をブラシ台部の長手方向に沿わて形成することにより、容器に入れた毛染め剤を上記複数のブラシ毛に付着させる際に、その先端面を水平に保持することが簡単になり、作業がしやすい。
【０００８】
本発明において、上記第２辺部分の各ブリッスルの突出長さが上記第４辺部分の各ブリッスルの突出長さより短く、かつ、上記第２辺部分の各ブリッスル同士の間隔が上記第４辺部分の各ブリッスル同士の間隔より狭く設定されている場合には、第４辺部分の各ブリッスルの突出長さおよび各ブリッスル同士の間隔を毛髪全体を梳くのに適した寸法とし、第２辺部分の各ブリッスルの突出長さおよび各ブリッスル同士の間隔をもみあげ等を梳くのに適した寸法とし、これにより、毛髪の各部をきめ細かく毛染めすることができる。
【０００９】
【発明の実施の形態】
つぎに、本発明の実施の形態について説明する。
【００１０】
図１および図２は本発明の毛染め用ブラシの一実施の形態を示している。この毛染め用ブラシは、細長い（図面では、左右方向に細長い）平板状体に形成されており、略四角形板状体に形成されたブラシ台部１と、このブラシ台部１の長手方向（すなわち、左右方向）に沿ってこのブラシ台部１の第１辺部分３（図面では、右辺部分）から延びる平板状の柄部２とからなる。
【００１１】
上記ブラシ台部１には、従来の毛染め用ブラシと同様に、相対向する第３辺部分５（図面では、下辺部分）および第４辺部分６（図面では、上辺傾斜部分）のうち、第３辺部分５に１０個の凹部５ａが一列に形成されており、図３に示すように、各凹部５ａにブラシ毛束８が植設されている。また、第４辺部分６に１２本のブリッスル９が一列に一体形成されており、図４に示すように、各ブリッスル９は先細り状に形成されている。これら櫛歯状に並ぶ一列のブリッスル９において、各ブリッスル９の突出長さおよび各ブリッスル９同士の間隔は、毛髪全体を梳くのに適した寸法に形成されている。
【００１２】
また、上記ブラシ台部１には、第１辺部分３に対向する第２辺部分４（図面では、左辺部分）に、７本の短ブリッスル１０が一列に一体形成されており、各短ブリッスル１０は、先端が半球形状に形成された円柱状体に形成されている（図５参照）。これら櫛歯状に並ぶ一列の短ブリッスル１０において、各短ブリッスル１０の突出長さおよび各短ブリッスル１０同士の間隔は、もみあげ等を梳くのに適した寸法に形成されている。この実施の形態では、各ブリッスル９の突出長さが２０ｍｍ程度に、各ブリッスル９同士の先端部での間隔が３ｍｍ程度に、各ブリッスル９同士の根元部での間隔が２ｍｍ程度に設定されている。一方、各短ブリッスル１０の突出長が７ｍｍ程度に、各短ブリッスル１０同士の間隔が１．５ｍｍ程度に設定されている。
【００１３】
このようなブラシ台部１において、第２辺部分４と第３辺部分５とは略直交しており、第２辺部分４と第４辺部分６とは鈍角で交わっている。
【００１４】
上記柄部２は、その一辺部分１２（図面では、下辺部分）が、上記ブラシ台部１の第３辺部分５に略平行に形成されており、その全長にわたって滑り止め用の凹凸部１３が形成されている。また、上記柄部２の他辺部分１４（図面では、上辺部分）が、上記ブラシ台部１の第４辺部分６に略平行に形成されており、そのブラシ台部１寄り側部分に滑り止め用の凹凸部１５が形成されている。また、上記柄部２の根元部が湾曲面に形成されており、その上部に３つの滑り止め用の凸部１６（図６参照）が突設されているとともに、その下端部から分け目形成用の１本の突起１７が突設されている。
【００１５】
また、上記ブラシ台部１および柄部２には、これらブラシ台部１および柄部２に跨がるようにして、その前後両側面（図１では、後面は隠れて見えない）に湾曲状に凹む凹部１８（図６参照。図６には、柄部２しか示されていない）が形成されており、この凹部１８の略中央部分（すなわち、ブラシ台部１寄り側の柄部２の部分）に９つの凸部１９が並列状に突設されている。また、これら各凸部１９の高さは、左側から右側に行くほど低くなっている（図７参照）。
【００１６】
上記毛染め用ブラシを用い、例えば、つぎのようにして毛染めすることができる。すなわち、まず、トレイ等に毛染め剤を取り出し、ブラシ毛束８を下向きにした状態で柄部２を手指で持つ。ついで、トレイ等に取り出した毛染め剤をブラシ毛束８に付着させ、白髪等が目立つ毛髪の根元部に塗布する。つぎに、柄部２を反転させ、ブリッスル９を下向きにした状態で柄部２を手指で持つ。そして、ブリッスル９で毛髪を梳かし、毛染め剤を軽く伸ばす。また、もみあげ等を毛染めする場合には、短ブリッスル１０をもみあげ等に向けた状態で柄部２を手指で持ち、短ブリッスル１０で毛染め剤を軽く伸ばす。
【００１７】
上記のように、この実施の形態では、ブラシ台部１にブリッスル９と短ブリッスル１０が設けられているため、これらを適宜使い分けることにより、毛髪の各部をきめ細かく毛染めすることができる。しかも、ブラシ台部１が略四角形板状体に形成されているため、ブラシ台部１の強度がアップしている。さらに、柄部２の一辺部分１２とブラシ台部１の第３辺部分５が略平行に形成されており、また、柄部２の他辺部分１４とブラシ台部１の第４辺部分６が略平行に形成されているため、ブラシ毛束８もしくはブリッスル９を下向きにしたときに、これらの先端面を水平にしやすく、操作しやすい。さらに、上記ブラシ台部１および柄部２の前後両側面に凹部１８が形成されているために、ここに毛染め剤を溜めることができる。
【００１８】
なお、上記実施の形態において、各短ブリッスル１０の突出長さが各ブリッスル９の突出長さより短く、かつ、各短ブリッスル１０同士の間隔が各ブリッスル９同士の間隔より狭く設定されているが、これに限定するものではなく、適宜設定することができる。
【００１９】
【発明の効果】
以上のように、本発明の毛染め用ブラシによれば、ブラシ台部の第２辺部分と第４辺部分にそれぞれ複数のブリッスルが列状に突設されているため、これら両列状のブリッスルの形状（例えば、各ブリッスルの突出長さや各ブリッスル同士の間隔）を異ならせることにより、毛髪の各部をきめ細かく毛染めすることができる。しかも、ブラシ台部が略四角形板状体に形成されているため、強度的に強く、ブラシ台部が破損しにくい。特に、ブラシ台部の先端においても、その面積が大きくて強度的に丈夫であり、早期に破損することはない。さらに、ブラシ台部が略四角形板状体に形成されているため、ブラシ台部の第３辺部分および第４辺部分の少なくとも一方をブラシ台部の長手方向に沿って形成することができ、使い勝手が良い。特に、複数のブラシ毛を列状に突設する第３辺部分をブラシ台部の長手方向に沿わて形成することにより、容器に入れた毛染め剤を上記複数のブラシ毛に付着させる際に、その先端面を水平に保持することが簡単になり、作業がしやすい。
【００２０】
本発明において、上記第２辺部分の各ブリッスルの突出長さが上記第４辺部分の各ブリッスルの突出長さより短く、かつ、上記第２辺部分の各ブリッスル同士の間隔が上記第４辺部分の各ブリッスル同士の間隔より狭く設定されている場合には、第４辺部分の各ブリッスルの突出長さおよび各ブリッスル同士の間隔を毛髪全体を梳くのに適した寸法とし、第２辺部分の各ブリッスルの突出長さおよび各ブリッスル同士の間隔をもみあげ等を梳くのに適した寸法とし、これにより、毛髪の各部をきめ細かく毛染めすることができる。
【図面の簡単な説明】
【図１】本発明の毛染め用ブラシの一実施の形態を示す正面図である。
【図２】上記毛染め用ブラシの底面図である。
【図３】上記毛染め用ブラシのブラシ毛束を示す拡大断面図である。
【図４】上記毛染め用ブラシのブリッスルを示す拡大断面図である。
【図５】上記毛染め用ブラシの短ブリッスルを示す拡大断面図である。
【図６】図１のＡ−Ａ拡大断面図である。
【図７】上記毛染め用ブラシの凸部を示す拡大断面図である。
【図８】従来例を示す正面図である。
【図９】他の従来例を示す正面図である。
【符号の説明】
１  ブラシ台部
２  柄部
３  第１辺部分
４  第２辺部分
５  第３辺部分
６  第４辺部分
８  ブラシ毛束
９  ブリッスル
１０  短ブリッスル
【図１】
0004286366.tif 000002
【図２】
0004286366.tif 000003
【図３】
0004286366.tif 000004
【図４】
0004286366.tif 000005
【図５】
0004286366.tif 000006
【図６】
0004286366.tif 000007
【図７】
0004286366.tif 000008
【図８】
0004286366.tif 000009
【図９】
0004286366.tif 000010